(57)【要約】【課題】取り外された複数の締結部材を区別して収納することができる締結部材収納箱を得る。【解決手段】通路１０８が内部に形成された収納箱本体１０１と、通路１０８に設けられ、閉塞位置と解除位置との間で変位する上方回動部材１０５Ｂおよび下方回動部材１０５Ａと、上方回動部材１０５Ｂおよび下方回動部材１０５Ａを付勢する付勢部材１２６とを備え、下方回動部材１０５Ａが閉塞位置にある場合に、落下する締結部材が付勢部材１２６の付勢力に逆らって上方回動部材１０５Ｂの回動用羽１２５を押し下げることによって上方回動部材１０５Ｂが解除位置から閉塞位置に変位し、上方回動部材１０５Ｂの回動用羽１２５を押し下げた締結部材が下方回動部材１０５Ａの閉塞用羽１２４の上に載り、閉塞用羽１２４の上に載った締結部材が上方回動部材１０５Ｂの閉塞位置から解除位置への変位を規制する。【選択図】図３
2016036859.tif 000002
【特許請求の範囲】
【請求項１】
上部に投入口が形成され、側部に取出口が形成され、高さ方向に延びた通路が内部に形成され、前記投入口から投入された締結部材が前記通路を落下して前記取出口から取り出される収納箱本体と、
前記取出口を開閉するカバーと、
前記通路の長手方向に間隔をおいて並べて前記通路に設けられ、回動することによって、前記通路を塞ぐ閉塞位置と前記通路の塞ぎが解除される解除位置との間で変位する複数の回動部材と、
前記回動部材の位置が前記解除位置となるように前記回動部材を付勢する付勢部材と
を備え、
前記回動部材は、前記回動部材が前記閉塞位置にある場合に前記締結部材の落下経路上に配置される閉塞用羽と、前記回動部材が前記解除位置にある場合に前記締結部材の落下経路上に配置される回動用羽とを有し、落下する前記締結部材が前記回動用羽の上に載った場合に、前記付勢部材の付勢力に逆らって、前記解除位置から前記閉塞位置に変位し、
隣り合う一対の前記回動部材のうちの下方に配置された前記回動部材である下方回動部材が前記閉塞位置にある場合であって、前記下方回動部材に上方に隣り合う前記回動部材である上方回動部材が配置された前記通路の部分を前記締結部材が落下する場合に、落下する前記締結部材が前記上方回動部材の前記回動用羽の上に載ることによって、前記上方回動部材は、前記解除位置から前記閉塞位置に変位し、前記上方回動部材の前記解除位置から前記閉塞位置への変位にともなって、前記上方回動部材の前記回動用羽の上に載った前記締結部材が前記下方回動部材の前記閉塞用羽の上に移動し、前記下方回動部材の前記閉塞用羽の上に載った前記締結部材が、前記上方回動部材の前記閉塞位置から前記解除位置への変位を規制することを特徴とする締結部材収納箱。
【請求項２】
前記収納箱本体は、前記カバーに対向する背板と、前記背板の幅方向両端部に設けられ、前記背板から前記カバーに向かって渡って延びた一対の側板とを有し、
前記上方回動部材および前記下方回動部材は、互いに異なる前記側板に取り付けられていることを特徴とする請求項１に記載の締結部材収納箱。
【請求項３】
前記収納箱本体の内部の表面または前記回動部材の表面に設けられ、落下する前記締結部材の前記収納箱本体または前記回動部材への衝撃を緩和する衝撃緩和部材をさらに備えたことを特徴とする請求項１または請求項２に記載の締結部材収納箱。
【請求項４】
前記回動用羽は、先に落下する前記締結部材が前記回動用羽の前記閉塞位置から前記解除位置への変位を規制している状態で、次に落下する前記締結部材が前記回動用羽の前記閉塞用羽に上方から衝突することによって、前記回動部材を前記閉塞位置に固定する固定装置を有していることを特徴とする請求項１から請求項３までの何れか一項に記載の締結部材収納箱。
【発明の詳細な説明】
【技術分野】
【０００１】
この発明は、締結部材取付対象物から取り外した締結部材を収納する締結部材収納箱に関する。
【背景技術】
【０００２】
従来、締結部材取付対象物からドライバーを用いて取り外された締結部材を吸引するバキュームポンプと、吸引された締結部材を収納する締結部材収納箱とを備えた締結部材回収装置が知られている（例えば、特許文献１参照）。
【先行技術文献】
【特許文献】
【０００３】
【特許文献１】特開平１１−３３３７４５号公報
【発明の概要】
【発明が解決しようとする課題】
【０００４】
しかしながら、取り外された複数の締結部材が締結部材収納箱の中で区別されることなく収納されるので、取り外された複数の締結部材を締結部材取付対象物に再び取り付ける場合、それぞれの締結部材を元の取付位置に取り付けることが難しく、特に、経年劣化またはひずみによってそれぞれの締結部材の形状に変化が生じた場合には、全ての締結部材を締結部材取付対象物に再び取り付けることが困難となるという問題点があった。
【０００５】
この発明は、取り外された複数の締結部材を区別して収納することができる締結部材収納箱を提供するものである。
【課題を解決するための手段】
【０００６】
この発明に係る締結部材収納箱は、上部に投入口が形成され、側部に取出口が形成され、高さ方向に延びた通路が内部に形成され、投入口から投入された締結部材が通路を落下して取出口から取り出される収納箱本体と、取出口を開閉するカバーと、通路の長手方向に間隔をおいて並べて通路に設けられ、回動することによって、通路を塞ぐ閉塞位置と通路の塞ぎが解除される解除位置との間で変位する複数の回動部材と、回動部材の位置が解除位置となるように回動部材を付勢する付勢部材とを備え、回動部材は、回動部材が閉塞位置にある場合に締結部材の落下経路上に配置される閉塞用羽と、回動部材が解除位置にある場合に締結部材の落下経路上に配置される回動用羽とを有し、落下する締結部材が回動用羽の上に載った場合に、付勢部材の付勢力に逆らって、解除位置から閉塞位置に変位し、隣り合う一対の回動部材のうちの下方に配置された回動部材である下方回動部材が閉塞位置にある場合であって、下方回動部材に上方に隣り合う回動部材である上方回動部材が配置された通路の部分を締結部材が落下する場合に、落下する締結部材が上方回動部材の回動用羽の上に載ることによって、上方回動部材は、解除位置から閉塞位置に変位し、上方回動部材の解除位置から閉塞位置への変位にともなって、上方回動部材の回動用羽の上に載った締結部材が下方回動部材の閉塞用羽の上に移動し、下方回動部材の閉塞用羽の上に載った締結部材が、上方回動部材の閉塞位置から解除位置への変位を規制する。
【発明の効果】
【０００７】
この発明に係る締結部材収納箱によれば、下方回動部材が閉塞位置にある状態で、収納箱本体の投入口から締結部材が投入された場合に、投入された締結部材は、上方回動部材を解除位置から閉塞位置に変位させ、下方回動部材の閉塞用羽の上に載り、上方回動部材の位置を閉塞位置のままとするので、締結部材収納箱に順に投入された複数の締結部材が締結部材収納箱の中で、投入された順に区別して収納される。これにより、取り外された複数の締結部材を区別して収納することができる。
【図面の簡単な説明】
【０００８】
【図１】この発明の実施の形態１に係る締結部材収納箱を示す斜視図である。
【図２】図１の締結部材収納箱を示す分解斜視図である。
【図３】図１の受口部を示す拡大図である。
【図４】図３の首部および誘導板を示す縦断面図である。
【図５】図４の首部および誘導板を示す平面図である。
【図６】図１の締結部材収納箱の要部を示す斜視図である。
【図７】図６の締結部材収納箱を示す側面図である。
【図８】図７の回動部材に締結部材が載った状態を示す側面図である。
【図９】図１の隣り合う回動部材を示す斜視図である。
【図１０】図６の回動部材を示す斜視図である。
【図１１】図１０の回動軸を示す拡大図である。
【図１２】図１０の回動部材が閉塞位置にある状態を示す斜視図である。
【図１３】図１２の軸端および受け金を示す側面図である。
【図１４】図１３の軸端が回動した状態を示す側面図である。
【図１５】図１４のストッパが溝に挿入された状態を示す側面図である。
【図１６】作業者が締結部材取付対象物から締結部材を取り外す様子を示す正面図である。
【図１７】図３の受口部に締結部材が投入された状態を示す斜視図である。
【図１８】図１７の首部に締結部材が挿入された状態を示す縦断面図である。
【図１９】回動部材に締結部材が載った状態を示す斜視図である。
【図２０】図１の収納箱本体の底板に締結部材が載った状態を示す正面図である。
【図２１】図２０の収納箱本体にさらに締結部材が投入された状態を示す正面図である。
【図２２】図３の受口部に締結部材が投入された状態を示す斜視図である。
【図２３】図２２の首部に締結部材が挿入された状態を示す縦断面図である。
【図２４】回動部材に締結部材が載った状態を示す斜視図である。
【図２５】締結部材収納箱に収納された締結部材を取り出す様子を示す斜視図である。
【発明を実施するための形態】
【０００９】
実施の形態１．
図１はこの発明の実施の形態１に係る締結部材収納箱を示す斜視図、図２は図１の締結部材収納箱を示す分解斜視図である。図において、締結部材収納箱１００は、高さ方向に延びた収納箱本体１０１と、収納箱本体１０１の上部に設けられた受口部１０２と、収納箱本体１０１の側部に設けられたカバー１０３と、収納箱本体１０１の下部に設けられた底板１０４と、収納箱本体１０１の内部に設けられた複数の回動部材１０５とを備えている。受口部１０２およびカバー１０３のそれぞれは、収納箱本体１０１に対して着脱可能に設けられている。収納箱本体１０１、受口部１０２、カバー１０３および底板１０４は、アクリル樹脂から構成されている。
【００１０】
収納箱本体１０１は、上部に投入口１０６が形成され、側部に取出口１０７が形成され、内部に高さ方向に延びた通路１０８が形成されている。底板１０４は、通路１０８の下部を塞いでいる。カバー１０３は、取出口１０７を開閉する。高さ方向に対して垂直な平面で切った場合の通路の形状は、四角形状となっている。投入口１０６から投入された締結部材が通路１０８を落下して取出口１０７から取り出される。
【００１１】
図３は図１の受口部１０２を示す拡大図である。受口部１０２は、テーパー形状に形成された受口部本体１０９と、受口部１０２の下部に設けられた首部１１０と、首部１１０の中に設けられた誘導板１１１とを有している。受口部本体１０９は、下方から上方に向かうにつれて径方向の寸法が大きくなるように形成されている。受口部本体１０９には、受口部本体１０９の形状に沿って形成された貫通孔１１２が上下方向に延びて形成されている。締結部材収納箱１００は、受口部本体１０９の内面、首部１１０の内面および誘導板１１１の表面に設けられ、落下する締結部材の受口部本体１０９、首部１１０および誘導板１１１への衝撃を緩和する衝撃緩和部材（図示せず）をさらに備えている。
【００１２】
図４は図３の首部１１０および誘導板１１１を示す縦断面図、図５は図４の首部１１０および誘導板１１１を示す平面図である。首部１１０は、断面四角形状に形成されている。首部１１０には、長手方向に延びた貫通孔１１３が上下方向に延びて形成されている。誘導板１１１は、首部１１０の内壁面に設けられた第１誘導板部１１４と、首部１１０の内壁面であって第１誘導板部１１４が設けられた首部１１０の部分に対向する部分に設けられた一対の第２誘導板部１１５とを有している。首部１１０を通る締結部材は、第１誘導板部１１４と第２誘導板部１１５とによって形成された誘導口１１６に誘導されて、首部１１０の下部から落下する。首部１１０の下端部は、収納箱本体１０１およびカバー１０３の上部に取り付けられる。
【００１３】
図６は図１の締結部材収納箱１００の要部を示す斜視図、図７は図６の締結部材収納箱１００を示す側面図である。収納箱本体１０１は、カバー１０３に対向する背板１１７と、背板１１７の幅方向両端部に設けられ、背板１１７からカバー１０３に向かって延びた一対の側板１１８と、それぞれの側板１１８におけるカバー１０３側の端部に設けられ、カバー１０３に対して着脱される前板１１９とを有している。締結部材収納箱１００は、カバー１０３における前板１１９と接しない部分の表面に設けられ、落下する締結部材のカバー１０３への衝撃を緩和する衝撃緩和部材（図示せず）をさらに備えている。
【００１４】
また、締結部材収納箱１００は、収納箱本体１０１の内部の表面に設けられた衝撃緩和部材１２０と、回動部材１０５の表面に設けられた衝撃緩和部材１２１とをさらに備えている。衝撃緩和部材１２０および衝撃緩和部材１２１は、落下する締結部材の収納箱本体１０１および回動部材１０５への衝撃を緩和する。衝撃緩和部材１２０および衝撃緩和部材１２１は、低反発素材から構成されている。
【００１５】
図１に示すように、回動部材１０５は、通路１０８の長手方向に間隔をおいて並ぶように通路１０８に設けられている。図８は図７の回動部材１０５に締結部材が載った状態を示す側面図である。図８では、締結部材として、ビス１２２を例に示している。回動部材１０５は、回動することによって、通路１０８を塞ぐ閉塞位置と通路１０８の塞ぎが解除される解除位置との間で変位する。
【００１６】
回動部材１０５は、側板１１８に沿うとともに水平面に沿って設けられた回動軸１２３と、回動軸１２３を中心に回動する閉塞用羽１２４と、回動軸１２３を中心に回動する回動用羽１２５とをしている。回動軸１２３の一端部は、背板１１７に支持されている。回動軸１２３の他端部は、前板１１９に支持されている。閉塞用羽１２４および回動用羽１２５は、一体に形成されている。したがって、閉塞用羽１２４および回動用羽１２５は、一体となって回動軸１２３を中心に回動する。閉塞用羽１２４および回動用羽１２５は、互いに直交するように配置されている。つまり、閉塞用羽１２４と回動用羽１２５との間の角度は、９０°となっている。
【００１７】
回動部材１０５は、閉塞用羽１２４が側板１１８に沿って延びて配置される場合に解除位置となる。このとき、回動用羽１２５は、側板１１８に対して垂直方向に延びて配置される。つまり、回動部材１０５の位置が解除位置の場合に、閉塞用羽１２４が通路１０８に沿って延びて配置され、回動用羽１２５が締結部材の落下経路上に配置される。したがって、回動部材１０５が解除位置にある場合に、締結部材が収納箱本体１０１の中を落下すると、締結部材が回動用羽１２５に当たり、回動用羽１２５は、回動用羽１２５における回動軸１２３とは反対側の部分が回動軸１２３側の部分よりも下方に位置するように回動軸１２３を中心に回動する。
【００１８】
回動部材１０５は、閉塞用羽１２４が側板１１８に対して垂直方向に延びて配置される場合に閉塞位置となる。このとき、回動用羽１２５は、側板１１８に沿って延びて配置される。つまり、回動部材１０５の位置が閉塞位置の場合に、閉塞用羽１２４が締結部材の落下経路上に配置され、回動用羽１２５が通路１０８に沿って延びて配置される。
【００１９】
この締結部材収納箱１００は、回動部材１０５の位置が解除位置となる方向に回動部材１０５を付勢する付勢部材１２６をさらに備えている。
【００２０】
図９は図１の隣り合う回動部材１０５を示す斜視図である。ここで、隣り合う一対の回動部材１０５のうちの下方に配置された回動部材１０５を下方回動部材１０５Ａとし、下方回動部材１０５Ａに対して上方に隣り合う回動部材１０５を上方回動部材１０５Ｂとする。上方回動部材１０５Ｂおよび下方回動部材１０５Ａは、互いに異なる側板１１８に取り付けられている。
【００２１】
下方回動部材１０５Ａの閉塞用羽１２４および回動用羽１２５は、回動軸１２３の長手方向に並べて配置された複数本の棒から構成されている。それぞれの棒は、回動軸１２３から径方向に延びて配置されている。
【００２２】
上方回動部材１０５Ｂの閉塞用羽１２４および回動用羽１２５は、回動軸１２３の長手方向に並べて配置された複数本の棒から構成されている。それぞれの棒は、回動軸１２３から径方向に延びて配置されている。
【００２３】
下方回動部材１０５Ａの閉塞用羽１２４と上方回動部材１０５Ｂの回動用羽１２５とは、下方回動部材１０５Ａおよび上方回動部材１０５Ｂが互いに回動する場合に、互いに接触しないように、回動軸１２３に沿ってずらして配置されている。これにより、下方回動部材１０５Ａおよび上方回動部材１０５Ｂは、互いに影響することなく、回動軸１２３を中心に回動可能となる。
【００２４】
図１０は図６の回動部材１０５を示す斜視図である。回動軸１２３は、軸本体１２７と、軸本体１２７の両端部から軸方向外側に離れて設けられた軸端１２８と、軸本体１２７と軸端１２８とに渡って設けられたつなぎばね１２９とを有している。
【００２５】
図１１は図１０の回動軸１２３を示す拡大図である。また、回動軸１２３は、前板１１９に固定され一方の軸端１２８を支持する受け金１３０を有している。図示していないが、回動軸１２３は、背板１１７に固定され他方の軸端１２８を支持する受け金を有している。背板１１７に設けられる受け金は、前板１１９に設けられる受け金１３０と同様である。
【００２６】
図１２は図１０の回動部材１０５が閉塞位置にある状態を示す斜視図、図１３は図１２の軸端１２８および受け金１３０を示す側面図である。軸端１２８は、内部に空洞が形成されている。回動軸１２３は、軸端１２８に設けられたストッパ１３１と、軸端１２８の内部に設けられた押しばね１３２とをさらに有している。受け金１３０、ストッパ１３１および押しばね１３２から固定装置が構成されている。軸端１２８には、ストッパ１３１が挿入可能な開口部１３３が形成されている。ストッパ１３１は、軸端１２８の開口部１３３を通ることによって、軸端１２８から径方向外側に突出する。押しばね１３２は、ストッパ１３１が軸端１２８から径方向外側に突出する方向にストッパ１３１を付勢する。
【００２７】
受け金１３０には、ストッパ１３１と係合する突起１３４と、ストッパ１３１が挿入可能な溝１３５とが形成されている。軸本体１２７が回動すると、軸端１２８が軸本体１２７の回動に連動して回動する。ストッパ１３１が突起１３４に係合すると、軸端１２８の回動が規制される。この状態で軸本体１２７の回動が継続すると、つなぎばね１２９が弾性変形する。ストッパ１３１が突起１３４を乗り越えると、図１４および図１５に示すように、軸端１２８が回動して、ストッパ１３１が開口部１３３から受け金１３０内に突出し、ストッパ１３１が溝１３５に挿入される。これにより、軸端１２８が受け金１３０に対して固定される。言い換えれば、回動軸１２３が前板１１９に対して固定される。
【００２８】
ストッパ１３１は、回動部材１０５が解除位置にある場合に、水平方向に延びて配置される。溝１３５は、ストッパ１３１が垂直方向に延びて配置される場合にストッパ１３１が溝１３５に挿入されるように配置されている。突起１３４は、ストッパ１３１が水平方向に延びて配置されている状態から垂直方向に延びて配置される状態に変化する間の位置でストッパ１３１が突起１３４と係合するように配置されている。この例では、突起１３４は、ストッパ１３１が水平面に対して４５°だけ傾斜した場合に突起１３４と係合するように配置されている。
【００２９】
次に、締結部材収納箱１００の動作について説明する。図１６は作業者が締結部材取付対象物から締結部材を取り外す様子を示す正面図、図１７は図３の受口部１０２に締結部材が投入された状態を示す斜視図、図１８は図１７の首部１１０に締結部材が挿入された状態を示す縦断面図である。作業者１３６は、脚立１３７に載って、天井に配置された締結部材取付対象物１３８から締結部材を取り外す。また、作業者１３６は、取り外した締結部材を締結部材収納箱１００の受口部１０２に上方から挿入する。受口部１０２に挿入された締結部材は、衝撃緩和部材が設けられた誘導板１１１に誘導されながら受口部１０２の中を落下する。図１７および図１８では、締結部材として、ビス１２２を例に示している。
【００３０】
図１９は回動部材１０５に締結部材が載った状態を示す斜視図である。図１９では、締結部材として、ビス１２２を例に示している。受口部１０２から落下した締結部材は、収納箱本体１０１の中を落下し、回動部材１０５の回動用羽１２５に当たる。回動部材１０５は、締結部材の重さによって、解除位置から閉塞位置に向かって回動する。これにより、回動用羽１２５は、回動用羽１２５における回動軸１２３とは反対側の部分が回動軸１２３側の部分よりも下方に位置するように回動軸１２３を中心に回動し、その後、締結部材が回動用羽１２５から滑り落ちる。その後、回動部材１０５は、付勢部材１２６によって、解除位置に戻る。
【００３１】
回動部材１０５から滑り落ちた締結部材は、その回動部材１０５の下方に隣り合う回動部材１０５の回動用羽１２５に当たる。図２０は図１の収納箱本体１０１の底板１０４に締結部材が載った状態を示す正面図である。全ての回動部材１０５に順に当たった締結部材は、底板１０４の上に載る。
【００３２】
最も下方に位置する回動部材１０５は、底板１０４に載った締結部材によって、閉塞位置から解除位置への変位が規制される。図２１は図２０の収納箱本体１０１にさらに締結部材が投入された状態を示す正面図である。図２１では、さらに投入された締結部材として、ナット１３９を例に示している。ここで、最も下にある回動部材１０５を下方回動部材１０５Ａとし、下方回動部材１０５Ａに対して上方に隣り合う回動部材１０５を上方回動部材１０５Ｂとする。先に落下する締結部材が下方回動部材１０５Ａの付勢部材１２６の付勢力に逆らって下方回動部材１０５Ａの回動用羽１２５を押し下げている状態、つまり、下方回動部材１０５Ａが閉塞位置にある場合であって、上方回動部材１０５Ｂが配置された通路１０３の部分を次に落下する締結部材が落下する場合に、落下する締結部材が上方回動部材の付勢部材１２６の付勢力に逆らって上方回動部材１０５Ｂの回動用羽１２５を押し下げる。これにより、上方回動部材１０５Ｂが解除位置から閉塞位置に変位し、上方回動部材１０５Ｂの回動用羽１２５を押し下げた締結部材が下方回動部材１０５Ａの閉塞用羽１２４に上方から衝突する。締結部材が閉塞用羽１２４に上方から衝突することによって、下方回動部材１０５Ａのストッパ１３１が突起１３４を乗り越えて溝１３５に挿入され、下方回動部材１０５Ａの位置が閉塞位置に固定される。下方回動部材１０５Ａの閉塞用羽１２４に衝突した締結部材は、下方回動部材１０５Ａの閉塞用羽１２４の上に載り、下方回動部材１０５Ａの閉塞用羽１２４の上に載った締結部材は、上方回動部材１０５Ｂの閉塞位置から解除位置への変位を規制する。
【００３３】
図２２は図３の受口部１０２に締結部材が投入された状態を示す斜視図、図２３は図２２の首部１１０に締結部材が挿入された状態を示す縦断面図、図２４は回動部材１０５に締結部材が載った状態を示す斜視図である。図２２、図２３および図２４では、締結部材として、ワッシャ１４０を例に示している。
【００３４】
図２５は締結部材収納箱１００に収納された締結部材を取り出す様子を示す斜視図である。締結部材収納箱１００を脚立１３７の上に載せ、収納箱本体１０１からカバー１０３を取り外す。これにより、締結部材収納箱１００に収納された締結部材を取り出すことができる。
【００３５】
以上説明したように、この発明の実施の形態１に係る締結部材収納箱１００によれば、下方回動部材１０５Ａの位置が閉塞位置である状態で、収納箱本体１０１の投入口から締結部材が投入された場合に、投入された締結部材は、上方回動部材１０５Ｂを解除位置から閉塞位置に変位させ、下方回動部材１０５Ａの閉塞用羽１２４の上に載り、上方回動部材１０５Ｂの位置を閉塞位置のままとするので、締結部材収納箱１００に順に投入された複数の締結部材が締結部材収納箱１００の中で、投入された順に区別して収納される。これにより、取り外された複数の締結部材を区別して収納することができる。
【００３６】
また、収納箱本体１０１は、カバー１０３に対向する背板１１７と、背板１１７の幅方向両端部に設けられ、カバー１０３と背板１１７とに渡って延びた一対の側板１１８とを有し、上方回動部材１０５Ｂおよび下方回動部材１０５Ａは、互いに異なる側板１１８に取り付けられているので、上方回動部材１０５Ｂおよび下方回動部材１０５Ａが一方の側板１１８のみに取り付けられた場合と比較して、ワッシャなどの薄い部材が上方回動部材１０５Ｂおよび下方回動部材１０５Ａと他方の側板１１８との間を通って底板１０４に落下することを防止することができる。
【００３７】
また、この締結部材収納箱１００は、収納箱本体１０１の内部の表面および回動部材１０５の表面に設けられ、落下する締結部材の収納箱本体１０１または回動部材１０５への衝撃を緩和する衝撃緩和部材１２０、１２１を備えているので、収納箱本体１０１および回動部材１０５の損傷を抑制することができる。
【００３８】
また、回動用羽１２５は、先に落下する締結部材が回動用羽１２５の閉塞位置から解除位置への変位を規制している状態で、次に落下する締結部材が回動用羽１２５の閉塞用羽に上方から衝突することによって、回動部材を閉塞位置に固定する固定装置を有しているので、取り外された複数の締結部材をより確実に区別して収納することができる。
【符号の説明】
【００３９】
１００  締結部材収納箱、１０１  収納箱本体、１０２  受口部、１０３  カバー、１０４  底板、１０５  回動部材、１０５Ａ  下方回動部材、１０５Ｂ  上方回動部材、１０６  投入口、１０７  取出口、１０８  通路、１０９  受口部本体、１１０  首部、１１１  誘導板、１１２  貫通孔、１１３  貫通孔、１１４  第１誘導板部、１１５  第２誘導板部、１１６  誘導口、１１７  背板、１１８  側板、１１９  前板、１２０、１２１  衝撃緩和部材、１２２  ビス、１２３  回動軸、１２４  閉塞用羽、１２５  回動用羽、１２６  付勢部材、１２７  軸本体、１２８  軸端、１２９  つなぎばね、１３０  受け金、１３１  ストッパ、１３２  押しばね、１３３  開口部、１３４  突起、１３５  溝、１３６  作業者、１３７  脚立、１３８  締結部材取付対象物、１３９  ナット、１４０  ワッシャ。
【図１】
2016036859.tif 000003
【図２】
2016036859.tif 000004
【図３】
2016036859.tif 000005
【図４】
2016036859.tif 000006
【図５】
2016036859.tif 000007
【図６】
2016036859.tif 000008
【図７】
2016036859.tif 000009
【図８】
2016036859.tif 000010
【図９】
2016036859.tif 000011
【図１０】
2016036859.tif 000012
【図１１】
2016036859.tif 000013
【図１２】
2016036859.tif 000014
【図１３】
2016036859.tif 000015
【図１４】
2016036859.tif 000016
【図１５】
2016036859.tif 000017
【図１６】
2016036859.tif 000018
【図１７】
2016036859.tif 000019
【図１８】
2016036859.tif 000020
【図１９】
2016036859.tif 000021
【図２０】
2016036859.tif 000022
【図２１】
2016036859.tif 000023
【図２２】
2016036859.tif 000024
【図２３】
2016036859.tif 000025
【図２４】
2016036859.tif 000026
【図２５】
2016036859.tif 000027